(57)【要約】【課題】箱体の横に近接して他のものが存在しても扉を開くことができる箱体の扉ロック装置を提供することにある。【解決手段】扉４の前面板部４ａの切り欠き部５に重なるように開口７が形成され前面板部４ａの前面側に取り付けられるベース金具９と、このベース金具９に対し鉛直方向に向く軸１０により回転可能に結合され前面板部４ａの前面に近づく方向に閉じるようにばね１１により付勢されたハンドルレバー１２と、このハンドルレバー１２の裏面に一体に設けた係止爪片１３と係脱するように箱体１側に取り付けられる係止爪部材１５とを備えてなり、前記軸１０の位置はハンドルレバー１２の係止爪片１３よりも扉４の他側部側に寄っており、軸１０よりも係止爪片１３側のハンドルレバー１２の一側部に指を掛けてハンドルレバー１２を回転させることにより係止爪部材１５に対する係止爪片１３の係止が解除されるように構成した。【選択図】図８
2011021442.tif 000002
【特許請求の範囲】
【請求項１】
コントロールボックスなどの箱体の前端開口部を閉じるべく箱体の一側部に一側部が蝶番により枢着された扉を、扉の他側部側でロックする扉ロック装置であって、前記扉の他側部側における前面板部の上下方向中間部に扉ロック装置取り付け用の縦長長方形の切り欠き部が形成されており、扉ロック装置は扉の前面板部の切り欠き部に重なるように開口が形成され切り欠き部の上側および下側における前面板部の前面側にビス止めされるベース金具と、このベース金具に対し鉛直方向に向く軸により回転可能に結合され前面板部の前面に近づく方向に閉じるようにばねにより付勢されたハンドルレバーと、このハンドルレバーの裏面に一体に設けた係止爪片と係脱するように前記箱体の突出部の外側面にビス止めされる係止爪部材とを備えてなり、前記ベース金具に対しハンドルレバーを結合している軸の位置はハンドルレバーの係止爪片よりも扉の他側部側に寄っており、軸よりも係止爪片側のハンドルレバーの一側部に指を掛けてハンドルレバーの一側部が前面板部の前面から離れるように軸の周りでハンドルレバーを回転させることにより係止爪部材に対する係止爪片の係止が解除されるように構成したことを特徴とする箱体の扉ロック装置。
【発明の詳細な説明】
【技術分野】
【０００１】
本発明は、箱体の扉ロック装置に関するものである。
【背景技術】
【０００２】
従来のこの種箱体の扉ロック装置としては、例えば特許文献１に開示されているように、キャビネット筺体を閉じる扉の側壁面に孔部を形成するとともに、該孔部を回動自在な引掛けレバーを設けたカバー部材で塞いだ扉係止装置であって、前記引掛けレバーの回転軸を扉の内側に位置させて、カバー部材を回転することにより前記引掛けレバーを回動させ、該引掛けレバーの先端に設けたフック部をキャビネット筺体に設けた受け部との係止を解きロック状態を解除するようにしたものが知られている。
【先行技術文献】
【特許文献】
【０００３】
【特許文献１】特開２００８−１２１２０８号公報
【発明の概要】
【発明が解決しようとする課題】
【０００４】
上記特許文献１に開示されている扉ロック装置の構成では、扉の側壁面に形成した孔部を引掛けレバーを設けたカバー部材で塞いだ状態で扉の側壁面に沿うようにカバー部材が配設されており、引掛けレバーの回転軸を前記孔部より扉の内側に位置させており、カバー部材を回転させて引掛けレバーの先端に設けたフック部をキャビネット筺体に設けた受け部から外すときは扉の側面よりカバー部材に指を当てがい、カバー部材と一緒に引掛けレバーを回転させる必要があった。
【０００５】
しかしながら、キャビネットの横に近接して他のものが存在すると、カバー部材に指を当てがうために扉の側面の隙間に指を入れることができないという問題があり、そのためキャビネットを置く場所に制限があった。
【０００６】
本発明の目的は、このような課題を解決するものであり、箱体の横に近接して他のものが存在しても扉を開くことができる箱体の扉ロック装置を提供することにある。
【課題を解決するための手段】
【０００７】
本発明の請求項１に記載の箱体の扉ロック装置は、コントロールボックスなどの箱体の前端開口部を閉じるべく箱体の一側部に一側部が蝶番により枢着された扉を、扉の他側部側でロックする扉ロック装置であって、前記扉の他側部側における前面板部の上下方向中間部に扉ロック装置取り付け用の縦長長方形の切り欠き部が形成されており、扉ロック装置は扉の前面板部の切り欠き部に重なるように開口が形成され切り欠き部の上側および下側における前面板部の前面側にビス止めされるベース金具と、このベース金具に対し鉛直方向に向く軸により回転可能に結合され前面板部の前面に近づく方向に閉じるようにばねにより付勢されたハンドルレバーと、このハンドルレバーの裏面に一体に設けた係止爪片と係脱するように前記箱体側にビス止めされる係止爪部材とを備えてなり、前記ベース金具に対しハンドルレバーを結合している軸の位置はハンドルレバーの係止爪片よりも扉の他側部側に寄っており、軸よりも係止爪片側のハンドルレバーの一側部に指を掛けてハンドルレバーの一側部が前面板部の前面から離れるように軸の周りでハンドルレバーを回転させることにより係止爪部材に対する係止爪片の係止が解除されるように構成したことを特徴とする。
【発明の効果】
【０００８】
以上のように、本発明の箱体の扉ロック装置は、扉の前面板部の切り欠き部に重なるように開口が形成され切り欠き部の上側および下側における前面板部の前面側にビス止めされるベース金具と、このベース金具に対し鉛直方向に向く軸により回転可能に結合され前面板部の前面に近づく方向に閉じるようにばねにより付勢されたハンドルレバーと、このハンドルレバーの裏面に一体に設けた係止爪片と係脱するように箱体側にビス止めされる係止爪部材とを備えてなり、前記ベース金具に対しハンドルレバーを結合している軸の位置はハンドルレバーの係止爪片よりも扉の他側部側に寄っており、軸よりも係止爪片側のハンドルレバーの一側部に指を掛けてハンドルレバーの一側部が前面板部の前面から離れるように軸の周りでハンドルレバーを回転させることにより係止爪部材に対する係止爪片の係止が解除されるように構成したことにより、箱体の他側部側に近接するようなものが存在しても、何ら問題なくハンドルレバーの一側部に指を掛けてハンドルレバーを回転させることにより係止爪部材に対する係止爪片の係止が解除させることができる。
【図面の簡単な説明】
【０００９】
【図１】本発明の一実施の形態における箱体の扉ロック装置の分解斜視図である。
【図２】同扉ロック装置のハンドルレバーを裏側から見た斜視図である。
【図３】同扉ロック装置が取り付けられる箱体および扉の斜視図である。
【図４】同扉ロック装置が取り付けられる箱体および扉の断面図である。
【図５】同扉ロック装置を箱体側および扉側に取り付ける直前の斜視図である。
【図６】同箱体および扉に扉ロック装置が取り付けられた状態で扉が開いた状態の斜視図である。
【図７】同扉ロック装置により扉が閉じた状態を保持している状態を示す横断面図である。
【図８】同扉ロック装置の係止が解除された状態を示す横断面図である。
【図９】同扉ロック装置の係止が解除され扉が開いた状態を示す横断面図である。
【発明を実施するための形態】
【００１０】
以下、本発明の一実施の形態を、図１〜図９を用いて具体的に説明する。
図において、１は例えば工場での機器を制御するスイッチ類を納めるコントロールボックスなどの箱体で、この箱体１の前面にはその外周よりも内側において前方に突出する角筒状、詳しくは正方形あるいは長方形などの矩形の角筒状の短い突出部２が設けられており、この突出部２の前端が開口部３となっている。４は箱体１の一側部に一側部が蝶番により枢着され、前記開口部３を開閉自在に設けられた扉で、この扉４は前面板部４ａと、この前面板部４ａから後方に直角に折れ曲がり前記箱体１の側板と面一状の側面板部４ｂと、この側面板部４ｂから前記突出部２の側面に当接しないように内側に直角に折れ曲がる後面板部４ｃとから構成されている。そして、扉４の他側部側における前面板部４ａの上下方向中間部に扉ロック装置取り付け用の縦長長方形の切り欠き部５が形成されており、また前面板部４ａの内面には前記切り欠き部５を塞がず前記突出部２の前端が全周に亘って食い込むようにスポンジなどの弾性合成樹脂材料からなるシール材６が貼着されている。
【００１１】
次に、扉４の他側部側において扉４の閉塞状態を保持する扉ロック装置について説明すると、扉ロック装置は扉４の前面板部４ａの切り欠き部５に重なるように開口７が形成され切り欠き部５の上側および下側における前面板部４ａの前面側にビス８止めされるベース金具９と、このベース金具９に対し鉛直方向に向く軸１０により回転可能に結合され前面板部４ａの前面に近づく方向に閉じるようにばね１１により付勢されたハンドルレバー１２と、このハンドルレバー１２の裏面に一体に設けた係止爪片１３と係脱するように前記箱体１の突出部２の外側面にビス１４止めされた係止爪部材１５とから構成されている。さらに詳しくは、係止爪片１３は前記ベース金具９の開口７および前記前面板部４ａの切り欠き部５より扉４の裏面側に突出するように構成され、また前記係止爪部材１５の基板部１６の裏面には前記突出部２に形成された上下の孔２ａに嵌入する凸部１６ａが上下２箇所に形成されており、この上下の凸部１６ａ間にねじ孔１６ｂが形成されていて、突出部２の内側より上下の孔２ａの間に形成されたビス挿通孔２ｂにビス１４を挿通して前記ねじ孔１６ｂにビス１４をねじ込むことにより係止爪部材１５が突出部２に取り付けられるものである。また、前記ベース金具９には前記開口７の上側および下側にねじ孔９ａ，９ａが形成されており、また前記前面板部４ａにはビス挿通孔１７，１７が形成されている。そして、前面板部４ａの内側よりビス挿通孔１７，１７にビス８を挿通して前記ねじ孔９ａ，９ａにビス８をねじ込むことによりベース金具９が前面板部４ａの前面側に取り付けられることになる。また、このベース金具９の上下両端には前方、即ちハンドルレバー１２側に直角に折れ曲がる板部９ｂ，９ｂが設けられ、前記ハンドルレバー１２の上下両端には後方、即ちベース金具９側に直角に折れ曲がる板部１２ａ，１２ａが設けられ、前記ベース金具９の板部９ｂ，９ｂはハンドルレバー１２の板部１２ａ，１２ａの内面に重なり、この互いに重なる板部９ｂ，１２ａに互いに連通する軸挿通孔１８，１９が形成され、この軸挿通孔１８，１９に前記軸１０が挿通されてベース金具９にハンドルレバー１２が結合されるもので、その軸１０挿通時に前記ばね１１が軸１０に嵌められてベース金具９とハンドルレバー１２の組み立てが完成する。このようにベース金具９とハンドルレバー１２が組み合わされた状態でベース金具９を前面板部４ａの前面側にビス８止めする。
【００１２】
前述のように、係止爪部材１５は突出部２に取り付けられ、前記ベース金具９を介して前面板部４ａに取り付けられたハンドルレバー１２と対の状態で使用されるものである。
なお、ベース金具９に対しハンドルレバー１２を結合している軸１０の位置はハンドルレバー１２の係止爪片１３よりも扉４の他側部側に寄っており、軸１０よりも係止爪片１３側のハンドルレバー１２の一側部に指を掛けてハンドルレバー１２の一側部が前面板部４ａの前面から離れるように軸１０の周りでハンドルレバー１２を回転させることにより係止爪部材１５に対する係止爪片１３の係止が解除されるようになっている。
【００１３】
上記構成において、扉４が閉じられているときは図７に示すように前記ハンドルレバー１２の係止爪片１３は係止爪部材１５に係止しており、この閉じられた扉４を開くときは図８に示すように前記ハンドルレバー１２の一側部に指を掛けてハンドルレバー１２の一
側部が前面板部４ａの前面から離れるように軸１０の周りでハンドルレバー１２を回転させることにより係止爪部材１５に対する係止爪片１３の係止が解除される。図９は係止爪部材１５に対する係止爪片１３の係止が解除され、扉４が開きかけの状態を示す。
【００１４】
開かれた扉４を閉じてロックするときは扉４を閉じる方向に押すことにより、係止爪片１３の先端傾斜部が係止爪部材１５の先端傾斜部に当接した状態で扉４が押し込まれ、最終的に係止爪片１３は係止爪部材１５に係止することになる。
【００１５】
以上、図面に示す一実施の形態について述べたが、シリンダー錠を備えて施錠・解除可能な扉ロック装置とすることも可能である。この場合、ベース金具９の前面側に前記係止爪片１３の動作の邪魔にならないようにシリンダーハウジングを取り付け、このシリンダーハウジングにシリンダー錠を収納し、ハンドルレバー１２にシリンダー錠の前面の鍵穴を露出させるための丸孔を形成し、この丸孔よりシリンダー錠の鍵穴に鍵を差し込みシリンダー錠を操作することによりシリンダー錠の動作に連動するカムプレートが動作してハンドルレバー１２による操作を可能な状態と不可能な状態とに切り替えることができる。
【産業上の利用可能性】
【００１６】
本発明の箱体の扉ロック装置は、例えば工場での機器を制御するスイッチ類を納めるコントロールボックスなどの箱体の前端開口部を閉じる扉のロック装置である。
【符号の説明】
【００１７】
１          箱体
２          突出部
２ｂ        ビス挿通孔
３          開口部
４          扉
４ａ        前面板部
４ｂ        側面板部
４ｃ        後面板部
５          切り欠き部
６          シール材
７          開口
８          ビス
９          ベース金具
９ａ        ねじ孔
９ｂ        板部
１０          軸
１１          ばね
１２          ハンドルレバー
１２ａ        板部
１３          係止爪片
１４          ビス
１５          係止爪部材
１６          基板部
１６ｂ        ねじ孔
１７          ビス挿通孔
１８，１９    軸挿通孔
【図１】
2011021442.tif 000003
【図２】
2011021442.tif 000004
【図３】
2011021442.tif 000005
【図４】
2011021442.tif 000006
【図５】
2011021442.tif 000007
【図６】
2011021442.tif 000008
【図７】
2011021442.tif 000009
【図８】
2011021442.tif 000010
【図９】
2011021442.tif 000011